(57)【要約】【課題】１個のモータで光ピックアップ及びディスクトレイを駆動する光ディスク装置であって、正確に駆動を切り替えることができる光ディスク装置を提供する。【解決手段】メインシャーシ１と、ディスクトレイ２と、トラバースシャーシ３と、光ピックアップ５と、カムスライダ７と、カムスライダ７に備えられたラックギヤ７４１と歯合するトレイギヤ１４とを有し、カムスライダ７が、ラックギヤ７４１が形成されたスライダラック部７４にラックギヤ７４１と近接して形成された貫通孔であるスリット７４２を備えている。【選択図】図４
2010257545.tif 000002
【特許請求の範囲】
【請求項１】
メインシャーシと、
前記メインシャーシに形成された開口より入出可能に支持されたディスクトレイと、
前記メインシャーシに旋回可能に支持されたトラバースシャーシと、
前記トラバースシャーシに摺動可能に支持された光ピックアップと、
前記メインシャーシに摺動可能に支持されており、前記トラバースシャーシを昇降させるカム溝を具備し、前記ディスクトレイの移動と前記トラバースシャーシの移動を切り替えるカムスライダと、
前記メインシャーシに支持され、前記カムスライダに備えられたラックギヤと歯合するトレイギヤとを有し、
前記カムスライダは前記光ピックアップに備えられたラックボスが係合されるトリガーガイドを備えており、
前記トラバースシャーシが下降するとき、前記カムスライダの駆動は前記トリガーガイドが前記ラックボスに押されることで開始され、前記カムスライダが所定量移動した後、前記ラックギヤが前記トレイギヤと歯合するものであり、光ディスクメディアに光を照射することで情報の記録又は再生を行う光ディスク装置であって、
前記カムスライダは前記トリガーガイドが前記ラックボスにて押されている間に、前記ラックギヤが前記トレイギヤと歯合するように形成されており、
前記カムスライダが、前記ラックギヤが形成されたスライダラック部に前記ラックギヤと近接して形成された貫通孔であるスリットを備えていることを特徴とする光ディスク装置。
【請求項２】
前記スリットは、少なくとも、前記カムスライダが前記ラックボスに押されて前記トレイギヤと最初に歯合する前記ラックギヤのギヤ歯の近傍に形成されていることを請求項１に記載の光ディスク装置。
【請求項３】
前記スリットは、前記ラックギヤの長さよりも長く、その両端部が前記ラックギヤの両端部よりも前記ラックギヤの長手方向、外側となるように形成されている請求項２に記載の光ディスク装置。
【請求項４】
前記ディスクトレイが前記メインシャーシ内部に移動するとき、前記カムスライダの駆動は前記スライダボスが前記ガイド溝に押されることで開始されるものであり、前記カムスライダが所定量移動した後、前記ラックギヤが前記トレイギヤと歯合するものであり、
前記カムスライダが、前記ガイド溝に前記スライダボスが押されている間に、前記ラックギヤが前記トレイギヤと歯合するように形成されている請求項１から請求項３のいずれかに記載の光ディスク装置。
【発明の詳細な説明】
【技術分野】
【０００１】
本発明は、記録媒体である光ディスクメディアをディスクトレイを用いて搬入／搬出す光ディスク装置に関するものである。
【背景技術】
【０００２】
近年、映像や音楽等を記録、再生する機器として、光ディスクメディアの記録面に光を照射し、情報の記録又は情報の再生を行う光ディスク装置が広く用いられている。前記光ディスク装置として、前記光ディスクメディアをディスクトレイに載置し、搬入／搬出を行うトレイローディングタイプがある。トレイローディングタイプの光ディスク装置は前記光ディスクメディアが載置された前記ディスクトレイを前記光ディスク装置の外部から内部に又は内部から外部に移動させることで前記光ディスクメディアを前記光ディスク装置の内部に搬入又は外部に搬出する。
【０００３】
従来のトレイローディングタイプの光ディスク装置について図面を参照して説明する。図７は従来の光ディスク装置の概略平面図であり、図８は図７に示す光ディスク装置の内部構成を示す概略配置図である。図７に示すように、光ディスク装置は、メインシャーシ９１と、メインシャーシ９１に摺動可能に支持され、メインシャーシ９１の外部のディスク着脱位置と内部の記録再生位置との間を往復するディスクトレイ９２と、ディスクトレイ９２の摺動方向（前後方向）に対して略垂直な方向に旋回することでディスクトレイ９２に対して昇降するトラバースシャーシ９３とを備えている。
【０００４】
トラバースシャーシ９３は、光ピックアップ９５と、光ディスクメディアを駆動するディスク駆動機構９４と、複数の歯車を組み合わせた駆動機構９６とを備えている。トラバースシャーシ９３の旋回によって、ディスク駆動機構９４のターンテーブル９４２がディスクトレイ９２に載置されている光ディスクメディアを持ち上げ支持する。
【０００５】
メインシャーシ９１の底面にはトレイギヤ９１４が回動自在に配置されている。トレイギヤ９１４はトラバースシャーシ９３の位置にかかわらず駆動機構９６との歯車のひとつと歯合しており、駆動機構９６からトレイギヤ９１４に駆動力が伝達される。また、メインシャーシ９１には、ディスクトレイ９２の摺動方向及びトラバースシャーシ９３の昇降方向に対して直交する方向に摺動するカムスライダ９７が配置されている。
【０００６】
カムスライダ９７は、光ピックアップ９５に備えられたラックボス９５１と係合するトリガーガイド９７１と、トレイギヤ９１４と歯合するスライダラック９７４とを備えている。トレイギヤ９１４とスライダラック９７４とが歯合しているとき、カムスライダ９７の駆動力はトレイギヤ９１４から伝達される。
【０００７】
カムスライダ９７の駆動力の切り替えの詳細について図面を参照して説明する。図９は従来の光ディスク装置におけるカムスライダの駆動力の切り替えタイミングを示す図である。図９は横方向にカムスライダ９７の位置を示している。
【０００８】
光ディスクメディアの記録／再生が終了すると、光ピックアップ９５は正面側に移動する。光ピックアップ９５が正面側の所定の位置まで移動すると、ラックボス９５１がトリガーガイド９７１と係合する。光ピックアップ９５が正面側に移動することで、ラックボス９５１がトリガーガイド９７１の側面部を押し、カムスライダ９７が移動する。ラックボス９５１はスライダラック９７４のギヤ歯がトレイギヤ９１４の谷に入り込む点まで、カムスライダ９７を押す。
【０００９】
スライダラック９７４がトレイギヤ９１４と歯合することで、カムスライダ９７の駆動力はラックボス９５１がトリガーガイド９７１を押す力から、トレイギヤ９１４からスライダラック９７４に伝達される力に切り替わる。このとき、ラックボス９５１がトリガーガイド９７１によって正面側に引っ張られ、ラックが駆動機構９６と離れる。モータから出力される力が伝達される相手は、光ピックアップ９５からカムスライダ９７に切り替わる。
【００１０】
図９に示すように、カムスライダ９７では、ラックボス９５１からの力による駆動が終了するのと同時に、トレイギヤ９１４からの力による駆動が開始する。精度良く切り替わるためには、切り替わる時点でスライダラック９７４とトレイギヤ９１４とが確実に歯合する必要がある。すなわち、カムスライダ９７の位置と、ラックボス９５１の回転位置とは常に一定の位置関係である必要がある。
【００１１】
しかしながら、従来の光ディスク装置では、ディスク駆動部その他の可動部からの振動或いは外部からの衝撃によって、カムスライダ９７が動いてしまったり、トレイギヤ９１４が回転してしまったりすることがある。このとき、スライダラック９７４とトレイギヤ９１４のギヤ歯の山同士が接触する場合がある。また、カムスライダ９７がラックボス９５１に押されたとき、スライダラック９７４のギヤ歯の山の部分とトレイギヤ９１４の山の部分とが接触し、スライダラック９７４がトレイギヤ９１４に弾かれる場合がる。このような現象が発生すると、ディスクトレイ９２が外部に搬出されるとき、ギヤ鳴り等の異音が発生し品位を低下させることがあり、最悪、ディスクトレイ９２が搬出されなくなることも考えられる。
【００１２】
そこで、特開２００６−７９７２６号公報に記載のディスク装置では、筐体に突起を形成し、カムスライダに形成されている山形カム面と突起とが係合することで、前記カムスライダの振動や衝撃による移動を規制し、カムスライダとピニオンとの位置関係が一定の条件（スライダラックとピニオンとが確実に歯合する条件）を維持する。これにより、カムスライダの駆動の切り替えを円滑に行い、ディスクトレイの搬出が安定して行われる。
【００１３】
また、特開２００７−１８６６５号公報に記載のディスク装置では、カムスライダに突起が設けられており、前記突起がトレイギヤのギヤ歯と係合することで、前記トレイギヤの振動や衝撃による移動を規制し、カムスライダとトレイギヤとの位置関係が一定の条件（スライダラックとトレイギヤとが確実に歯合する条件）を維持する。これにより、カムスライダの駆動の切り替えを円滑に行い、ディスクトレイの搬出が安定して行われる。
【先行技術文献】
【特許文献】
【００１４】
【特許文献１】特開２００６−７９７２６号公報
【特許文献２】特開２００７−１８６６５号公報
【発明の概要】
【発明が解決しようとする課題】
【００１５】
光ディスク装置の内部には、光ピックアップ（光源）、モータ等の熱を発する部材が多く備えられており、使用時間が長くなると環境温度が高くなる。前記カムスライダや前記トレイギヤは樹脂の一体成型体であり、環境温度の上昇によって膨張する。前記カムスライダや前記トレイギヤが膨張した場合、前記カムスライダと前記トレイギヤとの位置関係がずれていなくても、スライダラックとトレイギヤとのギヤ歯が接触し、異音（ギヤ鳴り）が発生し、さらには、歯合できずにディスクトレイが搬出されない不具合が発生する場合がある。
【００１６】
本発明は、１個のモータで光ピックアップ及びディスクトレイを駆動する光ディスク装置であって、ディスクトレイによる光ディスクメディアの搬送を円滑に行うことができる光ディスク装置を提供することを目的とする。
【課題を解決するための手段】
【００１７】
上記目的を達成するために本発明は、前記メインシャーシに形成された開口より入出可能に支持されたディスクトレイと、前記メインシャーシに旋回可能に支持されたトラバースシャーシと、前記トラバースシャーシに摺動可能に支持された光ピックアップと、前記メインシャーシに摺動可能に支持されており、前記トラバースシャーシを昇降させるカム溝を具備し、前記ディスクトレイの移動と前記トラバースシャーシの移動を切り替えるカムスライダと、前記メインシャーシに支持され、前記カムスライダに備えられたラックギヤと歯合するトレイギヤとを有し、前記カムスライダは前記光ピックアップに備えられたラックボスが係合されるトリガーガイドを備えており、前記トラバースシャーシが下降するとき、前記カムスライダの駆動は前記トリガーガイドが前記ラックボスに押されることで開始され、前記カムスライダが所定量移動した後、前記ラックギヤが前記トレイギヤと歯合するものであり、光ディスク装置に光を照射することで情報の記録又は再生を行う光ディスク装置であって、前記カムスライダは前記トリガーガイドが前記ラックボスにて押されている間に、前記ラックギヤが前記トレイギヤと歯合するように形成されており、前記カムスライダが、前記ラックギヤが形成されたスライダラック部に前記ラックギヤと近接して形成された貫通孔であるスリットを備えていることを特徴とする。
【００１８】
この構成によると、前記スライダラック部にスリットが形成されているので、前記ラックギヤと前記トレイギヤとがうまく歯合できなかった場合でも、前記ラックギヤが撓み、無理な負荷を逃がすことができる。スライダラック及び（又は）トレイギヤに環境変化による膨張、収縮が発生した場合でも、前記ラックボスと前記トレイギヤとを確実に歯合させることができる。これにより、前記ディスクトレイを確実に駆動させることができ、光ディスクメディアが内部から排出されなくなる不具合を抑制することが可能である。
【００１９】
また、前記トレイギヤと前記ラックギヤとの歯合がうまくいかなかった場合でも、前記ラックギヤが撓んで力を逃がすので、ギヤ鳴りを低減することができるとともに、ギヤ歯の破損を抑制することができる。
【００２０】
上記構成において、前記スリットは、少なくとも、前記カムスライダが前記ラックボスに押されて前記トレイギヤと最初に歯合する前記ラックギヤのギヤ歯の近傍に形成されていてもよく、前記ラックギヤの長さよりも長く、その両端部が前記ラックギヤの両端部よりも前記ラックギヤの長手方向、外側となるように形成されていてもよい。
【００２１】
上記構成において、前記ディスクトレイが前記メインシャーシ内部に移動するとき、前記カムスライダの駆動は前記スライダボスが前記ガイド溝に押されることで開始されるものであり、前記カムスライダが所定量移動した後、前記ラックギヤが前記トレイギヤと歯合するものであり、前記カムスライダが、前記ガイド溝に前記スライダボスが押されている間に、前記ラックギヤが前記トレイギヤと歯合するように形成されていてもよい。
【発明の効果】
【００２２】
本発明によると、１個のモータで光ピックアップ及びディスクトレイを駆動する光ディスク装置であって、ディスクトレイによる光ディスクメディアの搬送を円滑に行うことができる光ディスク装置を提供することができる。
【００２３】
また本発明によると、ディスクトレイが搬送されるとき、歯車が歯合できずに負荷がかかることによる歯車の破損を抑制でき、長期にわたり安定して動作する光ディスク装置を提供することができる。
【図面の簡単な説明】
【００２４】
【図１】本発明にかかる光ディスク装置の上部から見た概略配置図である。
【図２】図１に示す光ディスク装置の内部構造の概略配置図である。
【図３】本発明にかかる光ディスク装置の正面側から見た概略配置図である。
【図４】カムスライダのスライダラック部を拡大した平面図である。
【図５】本発明にかかる光ディスク装置における駆動力が切り替わるタイミングを示す図である。
【図６】本発明にかかる光ディスク装置を用いたＤＶＤレコーダの斜視図である。
【図７】従来の光ディスク装置の概略平面図である。
【図８】図７に示す光ディスク装置の内部構成を示す概略配置図である。
【図９】従来の光ディスク装置におけるカムスライダの駆動力の切り替えタイミングを示す図である。
【発明を実施するための形態】
【００２５】
以下に本発明の実施形態を図面を参照して説明する。図１は本発明にかかる光ディスク装置の上部から見た概略配置図であり、図２は図１に示す光ディスク装置の内部構造の概略配置図である。なお、図２では、説明の便宜上、ディスクトレイ及びトラバースシャーシを省略している。
【００２６】
光ディスク装置Ａは、メインシャーシ１と、光ディスクメディアを載置し、メインシャーシ１に対し光ディスクメディアを搬入／搬出するディスクトレイ２と、ディスクトレイ２の摺動方向の奥側をメインシャーシ１に旋回可能に支持され、旋回することでディスクトレイ２に接近／離反するトラバースシャーシ３とを備えている。そして、トラバースシャーシ３には、光ディスクメディアを下方から持ち上げ回転駆動するディスク駆動部４と、光ディスクメディアに光を照射し、情報の記録／再生を行う光ピックアップ５と、ディスクトレイ２、トラバースシャーシ３及び光ピックアップ５を駆動する駆動機構６とを備えている。
【００２７】
なお、以下の説明において、ディスクトレイ２がメインシャーシ１より突出する方向を正面側（図中Ｆ）、ディスクトレイ２がメインシャーシ１の内部に進入する方向を背面側（図中Ｂ）とする。
【００２８】
図１に示すように、メインシャーシ１は長方形状の底面部１１と、底面部１１に突設された壁部１２とを備えた、有底函体である。壁部１２の正面側にはディスクトレイ２が突出／進入する開口１３が形成されている。底面部１１及び壁部１２は樹脂の一体成型体である。また、光ディスク装置はメインシャーシ１の上部を覆うカバーシャーシを備えており（不図示）、カバーシャーシを取り付けることでメインシャーシ１は密閉される。
【００２９】
また、メインシャーシ１には底面１１に回転可能に支持されたトレイギヤ１４を備えている。トレイギヤ１４は底面１１に直交する軸周りに回動する平歯車である。トレイギヤ１４は駆動機構６に含まれる歯車と歯合しており、駆動機構６からの駆動力が伝達され回転する。さらに、メインシャーシ１にはディスクトレイの摺動方向と直交する方向に摺動するカムスライダ７が備えられている。
【００３０】
図１に示すように、メインシャーシ１の底面１１の背面側には、上側に向かって突出したボス１０が備えられている。ボス１０はフローティングゴム（ダンパー）１００が外嵌されており、フローティングゴム１００が外嵌されたボス１０がトラバースシャーシ３の背面側に形成されたボス孔３０を貫通している。ボス１０の外径はボス孔３０の内径よりも小さく、その隙間の分だけトラバースシャーシ３はディスクトレイ２に対して旋回（昇降）可能となっている。また、ボス１０とボス孔３０の隙間に、フローティングゴム１００が配置されていることで、トラバースシャーシ３の旋回時のがたつきを抑制することができる。
【００３１】
ディスクトレイ２は樹脂の一体成型体である。メインシャーシ１の開口１３より最も突出し、光ディスクメディアを交換するためのディスク交換位置と、メインシャーシ１の内部の光ディスクメディアの情報を記録／再生するための記録／再生位置との間を摺動可能となるように、メインシャーシ１に支持されている。
【００３２】
ディスクトレイ２は、上面に光ディスクメディアを載置するための段差２０と、ディスクトレイ２の長さ方向に延びるラックギヤであるトレイラック２１と、下面に形成されたガイド溝２２とを備えている（図２参照）。段差２０は小径（直径８ｃｍ）の光ディスクメディアを載置できる小径段差２０Ｓと、大径（直径１２ｃｍ）の光ディスクメディアを載置できる大径段差２０Ｌとを備えている。ディスクトレイ２には、矩形状の開口窓２３が形成されており、ディスク駆動部５が開口窓２３を通って光ディスクメディアを持ち上げる。そして、カバーシャーシに備えらたクランパ（不図示）とで光ディスクメディアを滑らないように挟持する。
【００３３】
小径段差２０Ｓと大径段差２０Ｌとは中心が同じ位置になるように形成されており、小径段差２０Ｓのほうが大径段差２０Ｌよりも深く形成されている。これにより、小径の光ディスクメディアは小径段差２０Ｓに、大径の光ディスクメディアは大径段差２０Ｌに載置される。
【００３４】
図２に示すように、トレイラック２１はディスクトレイ２の位置（開口１３に対する位置）によって、トレイギヤ１４と歯合するように形成されている。トレイラック２１とトレイギヤ１４とが歯合しているとき、トレイギヤ１４の回転がトレイラック２１に伝達され、ディスクトレイ２は摺動する。なお、トレイラック２１はディスクトレイ２が最も背面側にあるとき、トレイギヤ１４と離れている。
【００３５】
図２に示すように、ガイド溝２２はディスクトレイ２の摺動方向と平行して延びる直線部２２１と、直線部２２１に対して所定の角度だけ屈曲して形成された斜行部２２２と、直線部２２１に対して直交する直交部２２３とを備えている。そして、ガイド溝２２において、直線部２２１、斜行部２２２、直交部２２３とは連結され、一本の繋がった凹溝が形成されている。なお、本実施形態にかかるディスクトレイ２では、２本のガイド溝が形成されているが、図２中右側は開口窓２３が形成されている関係上、斜行部２２２と直交部２２３のみを備えた構成となっている。
【００３６】
図２に示すようにトラバースシャーシ３は正面より突出した昇降ボス３１を備えている。昇降ボス３１はカムスライダ７に形成されている後述のカム溝７３に係合されている。カムスライダ７が摺動することで昇降ボス３１がカム溝７３に押され、トラバースシャーシ３は旋回する。
【００３７】
トラバースシャーシ３に配置されたディスク駆動部４は、動力源であるモータ４１と、モータ４１の出力軸に固定され、光ディスクメディアの記録面の中央を支持するターンテーブル４２とを備えている。そして、光ピックアップ５は光ディスクメディアに光を照射するための光学系（レンズ、光源等を含む）と駆動部を備えており、トラバースシャーシ３に形成された摺動窓３２に、光ディスクメディアの径方向に移動できるように配置されている。
【００３８】
図２に示すように、光ピックアップ５はトラバースシャーシ３に配置されたガイドレール５０に摺動可能に支持されている。光ピックアップ５は、ラック５１を備えており、ラック５１は光ピックアップ５の位置によって、駆動機構６に駆動される。また、ラック５１の正面側の先端部には、ラックボス５１１と、突出部５１２とを備えている。なお、ラック５１は２つのラックギヤを重ねた、いわゆる、ダブルラック構造となっていてもよい。ダブルラックの場合、一方のラックギヤが光ピックアップ５の移動が停止した後も、移動することが可能である。
【００３９】
光ピックアップ５は最も正面側の位置を初期位置としており、この初期位置を基準として移動量を調整するものである。光ピックアップ５はトラバースシャーシ３が退避位置に移動するとき、初期位置に移動する。このとき、ラックボス５１１はカムスライダ７の後述するトリガーガイド７２と係合される。また、突出部５１２はメインシャーシ１の底面部１１より突設された係止部１１１の正面側と係合する。突出部５１２と係止部１１１とが係合することで、トラバースシャーシ３が退避位置に移動するときに、光ピックアップ５が背面側に移動するのを抑制することが可能である。
【００４０】
図２に示すように、駆動機構６はモータ６０と、モータ６０の回転を伝達するための複数個の平歯車が組み合わされた歯車群６１とを備えている。歯車群６１は、トレイギヤ１４と歯合する歯車及びピックアップ５に備えられたラック５１と歯合する歯車とを備えている。なお、光ピックアップ５が初期位置に移動したとき、ラック５１と歯車群６１の歯車とは歯合していない。
【００４１】
ディスク駆動部４、光ピックアップ５及び駆動機構６はトラバースシャーシ３に配置されている。トラバースシャーシ３はターンテーブル４２が光ディスクメディアを支持するクランプ位置と、ディスク駆動部４がディスクトレイ２の移動の邪魔にならない退避位置との間を旋回するものである。トラバースシャーシ３はディスクトレイ２が所定の位置まで進入してきたとき、ディスクトレイ２に向かって旋回する。また、トラバースシャーシ３が退避位置まで旋回した後、ディスクトレイ２が外部に向かって送出される。
【００４２】
ディスクトレイ２の移動の開始／終了及びトラバースシャーシ３の移動の終了／開始とは連動して行われるものであり、カムスライダ７によって適切なタイミングで切り替えられる。
【００４３】
本発明にかかる光ディスク装置に用いられるカムスライダの詳細について図面を参照して説明する。図３は本発明にかかる光ディスク装置の正面側から見た概略配置図であり、図４はカムスライダのスライダラック部を拡大した平面図である。
【００４４】
図３、図４に示すように、カムスライダ７は上面に突設されディスクトレイ２のガイド溝２２に係合されたスライダボス７１と、下面に形成され光ピックアップ５のラックボス５１１が挿入されるトリガーガイド７２と、トラバースシャーシ３に形成されている昇降ボス３１が挿入／係合されるカム溝７３と、摺動方向の端部に形成されたスライダラック部７４とを備えている。
【００４５】
スライダボス７１は、ガイド溝２２に係合されている。ディスクトレイ２が移動することでスライダボス７１はガイド溝２２の異なる部分と係合される。すなわち、ディスクトレイ２の突出量によって、スライダボス７１は直線部２２１、斜行部２２２及び直交部２２３とそれぞれ係合される。なお、ディスクトレイ２が完全にメインシャーシ１の内部に配置されているとき、スライダボス７１は直交部２２３と係合されている。
【００４６】
図１、図２に示すように、スライダボス７１が直線部２２１と係合されているとき、ディスクトレイ２が摺動してもスライダボス７１はガイド溝２２から力を受けない。同様に、スライダボス７１が直交部２２３と係合されているとき、カムスライダ７が摺動してもスライダボス７１がガイド溝２２に力を付与しない。スライダボス７１が斜行部２２２にあるときのみ、ディスクトレイ２の摺動によってガイド溝２２からスライダボス７１が押される、或いは、カムスライダ７の摺動によってスライダボス７１がガイド溝２２を押す。
【００４７】
図３に示すようにカム溝７３は、左側から、上溝７３１、斜溝７３２及び下溝７３３を備えた貫通孔である。上溝７３１及び下溝７３３はディスクトレイ２の下面に対して平行に形成されており、斜溝７３２は上溝７３１と下溝７３３を連結している。カム溝７３にはトラバースシャーシ３の昇降ボス３１が係合されている。昇降ボス３１が上溝７３１と係合しているとき、トラバースシャーシ３はクランプ位置にあり、下溝７３３と係合しているとき、トラバースシャーシ３は退避位置にある。なお、斜溝７３２にあるときは、カムスライダ７の摺動により昇降ボス３１が押され、クランプ位置へ、或いは、退避位置へ移動する。
【００４８】
図４に示すように、トリガーガイド７２はカムスライダ７の下面に形成されている。トリガーガイド７２は、背面側が開放されており、背面側の開放部分より光ピックアップ５のラックボス５１１が進入することができる。光ディスク装置において、トラバースシャーシ３がクランプ位置から旋回（下降）するとき、光ピックアップ５は正面側に移動される。光ピックアップ５が正面側に移動することで、ラックボス５１１がトリガーガイド７２に係合される。トリガーガイド７２はカムスライダ７の摺動方向及び光ピックアップ５の摺動方向に対して斜めに形成されており、ラックボス５１１にトリガーガイド７２の内壁面が押されてカムスライダ７が摺動する。
【００４９】
スライダラック部７４は正面側に形成されたラックギヤ７４１と、ラックギヤ７４１に沿って形成された貫通孔であるスリット７４２とを備えている。ラックギヤ７４１はカムスライダ７の位置によって、トレイギヤ１４と歯合するものである。さらに説明すると、カムスライダ７がその摺動範囲の両端部にあるとき、ラックギヤ７４１はトレイギヤ１４歯合せず、中間部にあるときのみ歯合する。カムスライダ７が摺動範囲の中間部にあるとき、トレイギヤ１４の回転力がラックギヤ７４１に伝達され、カムスライダ７は摺動する。
【００５０】
上述しているように、カムスライダ７の位置はディスクトレイ２及びトラバースシャーシ３の位置と関係している。そして、カムスライダ７の摺動のきっかけは、スライダボス７１がディスクトレイ２のガイド溝２２の斜行部２２２に押されることであり、光ピックアップ５のラックボス５１１にトリガーガイド７２が押されることである。
【００５１】
次にディスクトレイ２の突出（光ディスクメディアが載置されている場合アンローディング）及び進入（光ディスクメディアが載置されている場合ローディング）について詳しく説明する。図５は本発明にかかる光ディスク装置における駆動力が切り替わるタイミングを示す図である。図５はディスクトレイ２が記録／再生位置からディスク交換位置に移動するときのカムスライダ７の摺動力の切り替わりを示すものであり、上段がラックボス５１１による摺動、下段がトレイギヤ１４とラックギヤ７４１との歯合によるトレイギヤ１４による摺動を示している。
【００５２】
記録／再生が終了した光ディスクメディアを取り出す、或いは光ディスクメディアを搬入するためにディスクトレイ２が開口１３から突出する手順である。ディスクトレイ２はメインシャーシ１の内部の記録／再生位置にあり、トラバースシャーシ３はクランプ位置まで旋回してきている。まず、光ピックアップ５が正面側の初期位置まで移動する。そして、光ピックアップ５が初期位置に近接したとき、ラック５１に形成されたラックボス５１１がトリガーガイド７２の背面側の開放部より内部に侵入する。
【００５３】
内部に侵入したラックボス５１１はトリガーガイド７２の内壁面を押し、カムスライダ７を摺動させる。すなわち、駆動機構６からラック５１に伝達された力が、ラックボス５１１を介してトリガーガイド７２に作用し、カムスライダ７を摺動させている。カムスライダ７が所定の位置まで移動すると、ラックギヤ７４１がトレイギヤ１４と歯合する。
【００５４】
図５に示すように、本発明にかかる光ディスク装置Ａにおいて、カムスライダ７はトリガーガイド７２がラックボス５１１に押されることによる摺動が終了する前に、ラックギヤ７４１とトレイギヤ１４とが歯合するように、ラックギヤ７４１の位置が調整されている。
【００５５】
光ピックアップ５の摺動は光ディスクメディアに光を照射しつつ、光ディスクメディアの径方向に移動し、照射した光が光ディスクメディアのトラック上に正確に照射させるものである。ゆえに、光ピックアップ５の移動は精度が高くなくてはならない。そこで、ラック５１のピッチは細かく、ラック５１と歯合する歯車のピッチも細かい。一方で、カムスライダ７の摺動は、限られた時間内で一定距離摺動する必要であり、ラックギヤ７４１のピッチがラック５１に比べて大きい。
【００５６】
カムスライダ７がラックボス５１１に押されているときその摺動速度は、光ピックアップ５の摺動速度に影響されるので遅い。一方、ラックギヤ７４１とトレイギヤ１４との歯合によるカムスライダ７の摺動速度はピッチが大きい分、ラックボス５１１によるものよりも速い。これによりカムスライダ７の摺動速度に差ができる。よって、ラックボス５１１に押されている状態から、ラックギヤ７４１がトレイギヤ１４と歯合し、トレイギヤ１４からの駆動力で摺動するときは、ラック５１、カムスライダ７及びトレイギヤ１４の動作が厳密に同期している必要がある。
【００５７】
光ディスク装置Ａでは、光ピックアップ５やモータ４１、６０等発熱源を含んでおり、その発熱によって内部環境が高温になる場合が多い。内部環境が高温になると樹脂で形成されている、カムスライダ７、トレイギヤ１４、ラック５１は膨張し、ピッチが変化する。各部材のピッチが変化することで、カムスライダ７の摺動時にラックギヤ７４１の移動速度がトレイギヤ１４のギヤ歯の周速度と同期できなくなる場合がある。このとき、ラックギヤ７４１のギヤ歯はトレイギヤ１４のギヤ歯にはじかれるが、ラックギヤ７４１はスリット７４２によって、撓むことができる（図４中、破線のラックギヤ７４１）。
【００５８】
ラックギヤ７４１が撓むことで、ギヤ歯同士が激しく接触するのを回避することができる。これにより、ギヤ歯がはじかれたときの衝撃を吸収するので、ギヤ鳴りを低減することができる。また、ラックギヤ７４１が撓んでトレイギヤ１４の回転を待つことができ、はじかれた次のギヤ歯と歯合し、トレイギヤ１４の回転力をラックギヤ７４１に伝達し、カムスライダ７を確実に駆動することができる。これにより、カムスライダ７が摺動せず、トラバースシャーシ３が下降しない、すなわち、ディスクトレイ２が外部に突出しなくなる不具合の発生を抑えることができる。
【００５９】
なお、カムスライダ７において、ラックギヤ７４１の長さ又は位置を変えることで、カムスライダ７のラックボス５１１による駆動とトレイギヤ１４による駆動とが両方行われるタイミングを変えることができる。このタイミングは、ラックギヤ７４１がトレイギヤ１４とが確実に歯合するとともに、トレイギヤ１４による摺動によってラックボス５１１が引っ張られてラック５１に無理な力がかからないタイミングであることが好ましい。
【００６０】
トレイギヤ１４からラックギヤ７４１に駆動力が伝達されており、カムスライダ７４１はトレイギヤ１４から離れる方向（図中左）に摺動する。昇降ボス３１のカム溝７３内での位置が上溝７３１から斜溝７３２に替わる。昇降ボス３１は斜溝７３２から力を受け、ディスクトレイ２から離れる方向に移動する。これにより、トラバースシャーシ３は退避位置に移動する。ターンテーブル４２が光ディスクメディアを支持していた場合、その光ディスクメディアはディスクトレイ２の段差２０に載置される。
【００６１】
カムスライダ７がさらに摺動すると、昇降ボス３１のカム溝７３内での位置が斜溝７３２から下溝７３３に替わる。これにより、トラバースシャーシ３は退避位置に完全に移動し、ターンテーブル４２がディスクトレイ２の摺動の邪魔にならない。カムスライダ７の摺動開始から昇降ボス３１が下溝７３３に移動するまで、スライダボス７１はディスクトレイ２のガイド溝２２の直交部２２３内を摺動しており、ディスクトレイ２は停止したままである。
【００６２】
昇降ボス３１が下溝７３３に移動するまでカムスライダ７が摺動すると、スライダボス７１がガイド溝２２の直交部２２３から斜行部２２２に移動する。カムスライダ７が摺動すときにスライダボス７１が斜行部２２２の内壁面と接触し、内壁面を押す。これにより、ディスクトレイ２は正面側に移動を開始する。スライダボス７１のガイド溝２２内の位置が斜行部２２２から直線部２２１に変わる直前に、カムスライダ７のラックギヤ７４１がトレイギヤ１４から離れる。これと同時に、ディスクトレイ２の下面に形成されているトレイラック２１とトレイギヤ１４とが歯合し、トレイギヤ１４の回転がトレイラック２１に伝達されディスクトレイ２が正面側に摺動し、開口１３より突出する。このとき、スライダボス７１がガイド溝２２の斜行部２２２の内壁面に押されてカムスライダ７はわずかに移動する。これにより、ラックギヤ７４１はトレイギヤ１４と完全に離れる。
【００６３】
ディスクトレイ２の摺動が、スライダボス７１からガイド溝２２が押されている状態から、トレイラック２１が切り替わるタイミングも、カムスライダ７の切り替えのときと同様に両方の駆動方法で駆動されるようにしてもよい。トレイラック２１とラックギヤ７４１とのピッチが同じ或いは略同じであり、ギヤ歯の歯合ミスが発生しにくいので、駆動方法が重ならないように切り替えのタイミングを設定していてもよい。
【００６４】
その後、トレイギヤ１４の回転がトレイラック２１に伝達されることで、ディスクトレイ２が正面側に摺動する。このとき、スライダボス７１はガイド溝２２の直線部２２１と係合しており、ディスクトレイ２の摺動によってカムスライダ７は移動しない。また、直線部２２１に係合されていることで、外部からの力が作用によるカムスライダ７の摺動も制限される。
【００６５】
つぎに、ディスクトレイ２がメインシャーシ１の内部に移動する手順について説明する。ディスクトレイ２は開口１３よりメインシャーシ１の外部に突出している。このとき、ディスクトレイ２の背面側の一部はメインシャーシ１の内部に残っており、ディスクトレイ２のトレイラック２１はトレイギヤ１４と歯合している。
【００６６】
また、カムスライダ７は最も左側にあり、スライダボス７１はガイド溝２２の直線部２２１と係合しており、ラックギヤ７４１はトレイギヤ１４と歯合していない。そして、昇降ボス３１がカム溝７３の下溝７３３と係合しており、トラバースシャーシ３は退避位置にある。
【００６７】
駆動機構６のモータ６０が回転されると、歯車群６１の各歯車にモータ６０の回転が伝達され、トレイギヤ１４が回転する。トレイギヤ１４の回転力は、トレイギヤ１４と歯合しているトレイラック２１に伝達され、ディスクトレイ２はメインシャーシ１の内部に向かって摺動する。ディスクトレイ２の摺動にしたがってガイド溝２２が移動し、スライダボス７１のガイド溝２２に対する相対位置も変化する。ガイド溝２２の直線部２２１はディスクトレイ２の摺動方向と同じ方向に延伸しており、スライダボス７１は直線部２２１と接触しにくく、接触しても、カムスライダ７の摺動方向に向かう力を受けない。すなわち、スライダボス７１がガイド溝２２の直線部２２１と係合しているときは、カムスライダ７は停止している。
【００６８】
ディスクトレイ２がメインシャーシ１の内部に移動し、スライダボス７１がガイド溝２２の斜行部２２２まで到達すると、斜行部２２２の内壁面と接触する。ディスクトレイ２が摺動すると、スライダボス７１が斜行部２２２の内壁面に押され、カムスライダ７は摺動を開始する。カムスライダ７が所定の長さ摺動されるとスライダラック部７４のラックギヤ７４１が移動し、トレイギヤ１４と歯合される。ラックギヤ７４１とトレイギヤ１４とが歯合されると同時に、トレイラック２１はトレイギヤ１４から離れる。そして、カムスライダ７はトレイギヤ１４からラックギヤ７４１に伝達される力によって摺動される。
【００６９】
カムスライダ７が摺動され、スライダボス７１が斜行部２２２内を移動することで、スライダボス７１が斜行部２２２の内壁部（カムスライダ７の摺動を開始させたときのスライダボス７１が接触した壁部と対向する内壁部）を押す。ディスクトレイ２はトレイラック２１とトレイギヤ１４とが歯合していなくてもスライダボス７１から駆動力を付勢され、摺動する。スライダボス７１が斜行部２２２から直交部２２３に到達したとき、ディスクトレイ２は完全にメインシャーシ１の内部に完全に収納される。直交部２２３はディスクトレイ２の摺動方向と直交しているので、カムスライダ７が摺動しても、スライダボス７１からの力を受けず、ディスクトレイ２は移動しない。
【００７０】
一方、カムスライダ７が摺動することで、昇降ボス３１のカム溝７３における位置が変化する。最初、昇降ボス３１は下溝７３３と係合されており、トラバースシャーシ３は退避位置にある。カムスライダ７が移動しても昇降ボス３１が下溝７３３にある間は、トラバースシャーシ３は退避位置から動かない。カムスライダ７が所定の位置まで移動すると、昇降ボス３１が斜溝７３２に移動する。昇降ボス３１の位置が下溝７３３から斜溝７３２へ切り替わるタイミングと、スライダボス７１の位置が斜行部２２２から直交部２２３へ切り替わるタイミングが同じとなるように、斜行部２２２及び下溝７３３の長さは調整されている。
【００７１】
昇降ボス３１のカム溝７３内での位置の切り替わるタイミングと、スライダボス７１のガイド溝２２内での位置の切り替わるタイミングを合わせることで、ディスクトレイ２が記録／再生位置への移動が完了してから、トラバースシャーシ３の旋回が開始する。これにより、ディスクトレイ２が摺動している最中に、ターンテーブル４２がディスクトレイ２や光ディスクメディアと接触し、破損や故障が発生するのを抑制することが可能である。
【００７２】
カムスライダ７が摺動するときに、昇降ボス３１は斜溝７３２から力を受け、上方（ディスクトレイ２の方向）に押される。これにより、トラバースシャーシ３はディスクトレイ２に向かって旋回し、ターンテーブル４２はディスクトレイ２に向かって上昇する。そして、ターンテーブル４２はディスクトレイ２の開口窓２３を貫通し、光ディスクメディアを持ち上げて、クランパとで光ディスクメディアを挟持する。
【００７３】
一方、トラバースシャーシ３が旋回することで光ピックアップ５のラックボス５１１がトリガーガイド７２に下面側から係合する。昇降ボス３１のカム溝７３との係合が斜溝７３２から上溝７３１に切り替わることで、トラバースシャーシ３は完全にクランプ位置まで旋回する。これにより、突出部５１２が係止部１１１の上部に移動し光ピックアップ５は摺動可能となる。そして、カムスライダ７が摺動されることで、ラックボス５１１がトリガーガイド７２の内壁面に押される。これにより、ラック５１がわずかに背面側に移動し、駆動機構６の歯車群６１の歯車のひとつと歯合する。ラック５１が歯車群６１の歯車のひとつと歯合し背面側に移動することで、ラックボス５１１を押した面と対向して形成された内壁面をラックボス５１１が押すことで、カムスライダ７はさらに移動され、ラックギヤ７４１が完全にトレイギヤ１４から離れる。
【００７４】
以上のようにして、ディスクトレイ２はディスク交換位置から記録／再生位置に移動する。なお、光ピックアップ５のラック５１が歯車群６１の歯車のひとつと歯合を開始したとき、ラックギヤ７４１はトレイギヤ１４と歯合している。ラック５１と歯車群６１のひとつの歯車との歯合が失敗しても、ラックギヤ７４１がトレイギヤ１４と歯合しており、ラックボス５１１がラック５１と歯車とが歯合するまでトリガーガイド７２に押される。このとき、ラックギヤ７４１に作用する無理な力はラックギヤ７４１が撓むことで逃がすので、ギヤ歯が破損するのを抑制することができる。また、容易に力を逃がすことができるので、ギヤ鳴りを抑制することも可能である。
【００７５】
なお上述の例では、トラバースシャーシ３が上昇或いは下降するときの光ピックアップ５の駆動からカムスライダ７の駆動に切り替わるタイミングについて説明しているが、スライダボス７１がディスクトレイ２のガイド溝２２の斜行部２２２に押されているのと同時に、ラックギヤ７４１がトレイギヤ１４と歯合するように形成されていてもよい。このように形成されていることで、ディスクトレイ２の移動後、確実にカムスライダ７を駆動することができ、トラバースシャーシ３の駆動を精度良く行うことが可能である。
【００７６】
以上に示した、カムスライダを用いることで、ディスクトレイ２、トラバースシャーシ３の動作を正確なタイミングで、確実に動作させることができるので、高い動作精度の光ディスク装置を提供することができる。
【００７７】
また、光ディスクメディアの搬入／搬出動作時に歯車がかみ合わないときのギヤ鳴りの発生を抑えることができ、また、ギヤ鳴りが発生したとしても、その音を小さくすることができ、それだけ、動作品質の高い光ディスク装置を提供することが可能である。
【００７８】
図６は本発明にかかる光ディスク装置を用いたＤＶＤレコーダの斜視図である。図６に示すように、ＤＶＤレコーダＲｄは、筐体Ｏｈの内部に光ディスク装置Ａが配置されており、筐体Ｏｈの正面に配置されたフロントパネルＦｐに形成された開口Ｏｐより光ディスクメディアＤｓをディスクトレイ２に載置して光ディスク装置Ａの内部に挿入するものである。
【産業上の利用可能性】
【００７９】
本発明は、記録媒体として光ディスクメディアを用いる電子機器（たとえば、ＤＶＤプレーヤ、ＤＶＤレコーダ等）に利用することができる。
【符号の説明】
【００８０】
１  メインシャーシ
２  ディスクトレイ
２１  トレイラック
２２  ガイド溝
２３  開口窓
３  トラバースシャーシ
３０  ボス孔
３１  昇降ボス
３２  摺動窓
４  ディスク駆動部
４１  モータ
４２  ターンテーブル
５  光ピックアップ
５１  ラック
５１１  ラックボス
５１２  突出部
６  駆動機構
６１  歯車群
６２  モータ
７  カムスライダ
７１  スライダボス
７２  トリガーガイド
７３  カム溝
７４  スライダラック部
７４１  ラックギヤ
７４２  スリット
【図１】
2010257545.tif 000003
【図２】
2010257545.tif 000004
【図３】
2010257545.tif 000005
【図４】
2010257545.tif 000006
【図５】
2010257545.tif 000007
【図６】
2010257545.tif 000008
【図７】
2010257545.tif 000009
【図８】
2010257545.tif 000010
【図９】
2010257545.tif 000011